(57)【要約】【課題】操作者の意図を考慮したシート調整を可能とするパワーシート装置を提供する。【解決手段】タッチ操作に基づいて駆動されるシート１０のシートクッション１１のへり部１１ｂに設けられ、シート１０の第１の調整（リクライニング調整）を行なう第１のタッチ検出部である第１のタッチセンサ１００と、タッチ操作に基づいて駆動されるシート１０のシートクッション１１の側面部１１ｃに設けられ、シート１０の第２の調整（スライド調整）を行なう第２のタッチ検出部である第２のタッチセンサ２００と、第１のタッチセンサ１００及び第２のタッチセンサ２００のタッチ状態を検出することにより、第１の調整（リクライニング調整）又は第２の調整（スライド調整）を行なう制御部３００と、を有し、検出されたタッチ状態に基づいて、第１のタッチセンサ１００又は第２のタッチセンサ２００のいずれのタッチ検出部が操作されたかの操作切り分けを行なう。【選択図】図３
2017094916.tif 000002
【特許請求の範囲】
【請求項１】
タッチ操作に基づいて駆動されるシートのシートクッションのへり部に設けられ、前記シートの第１の調整を行なう第１のタッチ検出部と、
タッチ操作に基づいて駆動されるシートのシートクッションの側面部に設けられ、前記シートの第２の調整を行なう第２のタッチ検出部と、
前記第１のタッチ検出部及び前記第２のタッチ検出部のタッチ状態を検出することにより、前記第１の調整又は前記第２の調整を行なう制御部と、を有し、
前記検出されたタッチ状態に基づいて、前記第１のタッチ検出部又は前記第２のタッチ検出部のいずれのタッチ検出部が操作されたかの操作切り分けを行なうことを特徴とするパワーシート装置。
【請求項２】
前記第１のタッチ検出部、前記第２のタッチ検出部は静電容量式のタッチセンサであって、前記制御部は、前記第１のタッチ検出部、及び前記第２のタッチ検出部のそれぞれの静電容量値の比率に基づいて、前記第１のタッチ検出部又は前記第２のタッチ検出部の操作の無効を判断することを特徴とする請求項１に記載のパワーシート装置。
【請求項３】
前記第１のタッチ検出部は、前記タッチ操作により操作者の親指が前記へり部にタッチしているかどうかの判断に基づいて、前記第１のタッチ検出部又は前記第２のタッチ検出部の操作の無効を判断することを特徴とする請求項１に記載のパワーシート装置。
【請求項４】
前記制御部は、前記へり部に設けられた前記第１のタッチ検出部へのなぞり操作により、前記第１の調整として、前記シートのリクライニング調整を行なうことを特徴とする請求項１から３のいずれか１項に記載のパワーシート装置。
【請求項５】
前記制御部は、前記側面部に設けられた前記第２のタッチ検出部へのなぞり操作により、前記第２の調整として、前記シートのスライド調整を行なうことを特徴とする請求項１から３のいずれか１項に記載のパワーシート装置。
【請求項６】
前記第１のタッチ検出部は、前記タッチ操作により操作者の親指が前記へり部にタッチしていない場合に、前記第１のタッチ検出部の検出を無効にすることを特徴とする請求項３に記載のパワーシート装置。
【請求項７】
前記第１のタッチ検出部は、前記タッチ操作により操作者の親指が前記へり部にタッチしている場合に、前記第２のタッチ検出部の検出を無効にすることを特徴とする請求項３に記載のパワーシート装置。
【発明の詳細な説明】
【技術分野】
【０００１】
本発明は、パワーシート装置に関する。
【背景技術】
【０００２】
従来の技術として、車両用シートのサイドシールド（取付面）に操作スイッチが装着され、この操作スイッチを操作することにより、車両用シートの前後方向へのスライド調整や、リクライニング調整を行なうパワーシート装置が知られている（例えば、特許文献１参照）。
【０００３】
特許文献１のパワーシート装置は、車両用シートを操作するための操作スイッチにおいて、操作スイッチが取り付けられる取付面から突出するトップカバーと、そのトップカバーに指等が接触・接近したことを検出するタッチセンサとを備え、突出面のタッチセンサによる検出部位に応じて、複数のスイッチ操作を行うように構成されている。このトップカバーに装着されているタッチセンサは、上面、側面、下面の３方向とされている。
【０００４】
このような構成により、操作者は、操作スイッチを目視できなくても、手探りで操作スイッチの位置、形状等を確認し、突出面の表面に指等の入力媒体を接触若しくは接近させて、車両用シートの操作を行うことが可能で、また、タッチセンサによる検出部位に応じて、複数のスイッチ操作が行われることで、１つの操作スイッチによって、複数の操作を行うことが可能になる、とされている。
【先行技術文献】
【特許文献】
【０００５】
【特許文献１】特開２０１３−２１２８１９公報
【発明の概要】
【発明が解決しようとする課題】
【０００６】
しかし、従来の特許文献１のパワーシート装置は、上面、側面、下面の３方向に向いたタッチセンサへの指等の接触状態を、操作時の手、指の構造、操作姿勢等を考慮せずに、検出している。このため、タッチ操作、なぞり操作において、手の構造上、一方のスイッチを操作することを意図していても、他のスイッチにも手指が触れてしまい、操作者の意図しない動作をしてしまう等の問題があった。
【０００７】
従って、本発明の目的は、操作者の意図を考慮したシート調整を可能とするパワーシート装置を提供することにある。
【課題を解決するための手段】
【０００８】
［１］本発明は、上記目的を達成するために、タッチ操作に基づいて駆動されるシートのシートクッションのへり部に設けられ、前記シートの第１の調整を行なう第１のタッチ検出部と、タッチ操作に基づいて駆動されるシートのシートクッションの側面部に設けられ、前記シートの第２の調整を行なう第２のタッチ検出部と、前記第１のタッチ検出部及び前記第２のタッチ検出部のタッチ状態を検出することにより、前記第１の調整又は前記第２の調整を行なう制御部と、を有し、前記検出されたタッチ状態に基づいて、前記第１のタッチ検出部又は前記第２のタッチ検出部のいずれのタッチ検出部が操作されたかの操作切り分けを行なうことを特徴とするパワーシート装置を提供する。
【０００９】
［２］前記第１のタッチ検出部、前記第２のタッチ検出部は静電容量式のタッチセンサであって、前記制御部は、前記第１のタッチ検出部、及び前記第２のタッチ検出部のそれぞれの静電容量値の比率に基づいて、前記第１のタッチ検出部又は前記第２のタッチ検出部の操作の無効を判断することを特徴とする上記［１］に記載のシート装置であってもよい。
【００１０】
［３］また、前記第１のタッチ検出部は、前記タッチ操作により操作者の親指が前記へり部にタッチしているかどうかの判断に基づいて、前記第１のタッチ検出部又は前記第２のタッチ検出部の操作の無効を判断することを特徴とする上記［１］に記載のシート装置であってもよい。
【００１１】
［４］また、前記制御部は、前記へり部に設けられた前記第１のタッチ検出部へのなぞり操作により、前記第１の調整として、前記シートのリクライニング調整を行なうことを特徴とする上記［１］〜［３］のいずれか１に記載のシート装置であってもよい。
【００１２】
［５］また、前記制御部は、前記側面部に設けられた前記第２のタッチ検出部へのなぞり操作により、前記第２の調整として、前記シートのスライド調整を行なうことを特徴とする上記［１］〜［３］のいずれか１に記載のシート装置であってもよい。
【００１３】
［６］また、前記第１のタッチ検出部は、前記タッチ操作により操作者の親指が前記へり部にタッチしていない場合に、前記第１のタッチ検出部の検出を無効にすることを特徴とする上記［３］に記載のシート装置であってもよい。
【００１４】
［７］また、前記第１のタッチ検出部は、前記タッチ操作により操作者の親指が前記へり部にタッチしている場合に、前記第２のタッチ検出部の検出を無効にすることを特徴とする上記［３］に記載のシート装置であってもよい。
【発明の効果】
【００１５】
本発明によれば、操作者の意図を考慮したシート調整を可能とすることができる。
【図面の簡単な説明】
【００１６】
【図１】図１（ａ）は、第１の実施の形態に係るパワーシート装置が配置された車両内部の概略図であり、図１（ｂ）は、パワーシート装置の概略斜視図である。
【図２】図２は、実施の形態に係るパワーシート装置の概略構成を示すブロック構成図である。
【図３】図３は、パワーシート装置１の第１のタッチセンサ（へり部）と第２のタッチセンサ（側面部）をなぞり操作する場合の手の接触状態を示す斜視図である。
【図４】図４（ａ）は、手（指）を伸ばした状態での第１のタッチセンサ（へり部）と第２のタッチセンサ（側面部）に接する手の領域を示す側面図であり、図４（ｂ）は、手（指）を略９０°曲げた状態での第１のタッチセンサ（へり部）と第２のタッチセンサ（側面部）に接する手の領域を示す断面図であり、図４（ｃ）は、側面部操作とへり部操作時におけるタッチセンサ容量カウント値、と比率αの関係を示す棒グラフである。
【図５】図５（ａ）は、図３で示した操作時の、第１のタッチセンサ（へり部）における手の接触状態を上から見た上平面図であり、図５（ｂ）は、図５（ａ）における接触状態での静電容量カウント値の分布を示す検出値分布情報である。
【図６】図６（ａ）は、図３で示した操作時の、第２のタッチセンサ（側面部）における手の接触状態を側面から見た側面図であり、図６（ｂ）は、図６（ａ）における接触状態での静電容量カウント値の分布を示す検出値分布情報である。
【図７】図７は、第１の実施の形態に係るパワーシート装置の動作を示すフローチャートである。
【図８】図８は、第２の実施の形態に係るパワーシート装置の動作を示すフローチャートである。
【発明を実施するための形態】
【００１７】
（本発明の第１の実施の形態）
図１（ａ）は、第１の実施の形態に係るパワーシート装置が配置された車両内部の概略図であり、図１（ｂ）は、パワーシート装置の概略斜視図である。第１の実施の形態に係るパワーシート装置１は、例えば、車両５の車室内に搭載されるものである。また、図２は、実施の形態に係るパワーシート装置の概略構成を示すブロック構成図である。
【００１８】
このパワーシート装置１は、シートクッション１１の座面部１１ａのへり部１１ｂに設けられる第１のタッチセンサ１００と、シートクッション１１の座面部１１ａの側面部１１ｃに設けられる第２のタッチセンサ２００を備える。後述する図３に示すような操作がされた場合に、第１のタッチセンサ１００と第２のタッチセンサ２００へのタッチ状態（タッチ検出の物理量あるいは親指がタッチされているかどうか等）に基づいて、第１のタッチセンサ１００か第２のタッチセンサ２００かのどちらのタッチセンサが操作されたかの操作切り分けを行なうものである。
【００１９】
パワーシート装置は、一般に、前後方向へのスライド調整、座面の高さ調整、シートバックのリクライニング調整、ヘッドレスト調整等の種々の部位の調整が可能とされているが、本発明の実施の形態では、シート１０の前後方向へのスライド調整及びシートバック１２のリクライニング調整を上記示した２つのタッチセンサで行なうものとする。
【００２０】
本実施の形態に係るパワーシート装置１は、タッチ操作に基づいて駆動されるシート１０のシートクッション１１のへり部１１ｂに設けられ、シート１０の第１の調整（リクライニング調整）を行なう第１のタッチ検出部である第１のタッチセンサ１００と、タッチ操作に基づいて駆動されるシート１０のシートクッション１１の側面部１１ｃに設けられ、シート１０の第２の調整（スライド調整）を行なう第２のタッチ検出部である第２のタッチセンサ２００と、第１のタッチセンサ１００及び第２のタッチセンサ２００のタッチ状態を検出することにより、第１の調整（リクライニング調整）又は第２の調整（スライド調整）を行なう制御部３００と、を有し、検出されたタッチ状態に基づいて、第１のタッチセンサ１００又は第２のタッチセンサ２００のいずれのタッチ検出部が操作されたかの操作切り分けを行なうものである。
【００２１】
なお、図１（ｂ）、図２等には、第１のタッチセンサ１００と第２のタッチセンサ２００を別々のセンサとして図示しているが、シートクッション１１のへり部１１ｂと側面部１１ｃに折り曲げて装着される１つのタッチセンサであってもよい。この場合は、へり部１１ｂと側面部１１ｃのそれぞれの領域においてタッチ検出を独立に検出する。
【００２２】
（シート１０の構成）
シート１０は、図１（ｂ）に示すように、乗員（操作者）が着座するシートクッション１１と、シートクッション１１に対して傾倒可能に連結されたシートバック１２と、シートバック１２に配置されたヘッドレスト１３と、を備えている。
【００２３】
シートクッション１１は、乗員が着座する座面部１１ａが浅い凹形状を有し、乗員の下半身を保持するように構成されている。この座面部１１ａは、例えば、シートバック１２の表面、及び後述するヘッドレスト１３の表面と同様に、革張り又は布張りがなされている。
【００２４】
またシートクッション１１は、台座部１４により支持され、上記示したシートバック１２、ヘッドレスト１３とでシート１０を構成している。このシート１０は、図１（ｂ）に示すように、車両５の床に取り付けられたシートレール１６に案内されて、車両５の前後方向（矢印Ａ方向）に移動するように構成されている。シートクッション１１のシートレール１６に沿った第２の調整としてのスライド調整は、駆動モータ（図示省略）によるスライド機構部５２の駆動により行われる。
【００２５】
スライド機構部５２は、シートクッション１１の下部に配置されている。このスライド機構部５２は、駆動モータにより駆動されてシートクッション１１、すなわちシート１０をシートレール１６に沿った前後方向に移動させるように構成されている。駆動モータ（図示省略）は、制御部３００から出力される駆動信号Ｓ６により、出力軸が正逆回転するように構成されている。この出力軸は、スライド機構部５２に接続されている。
【００２６】
シートバック１２は、乗員の上半身を保持するものであり、乗員の背中が接触する背面部１７と、背面部１７の両端部に設けられ、乗員の上半身を包み込むように保持するサイドサポート部１８と、を備えている。
【００２７】
シート１０は、シートクッション１１とシートバック１２との角度（リクライニング角度）を矢印Ｂ方向に調整可能に構成されている。この第１の調整としてのリクライニング調整は、駆動モータ（図示省略）によるリクライニング機構部５０の駆動により行われる。
【００２８】
リクライニング機構部５０は、シートクッション１１に配置されている。このリクライニング機構部５０は、駆動モータ（図示省略）により駆動されてリクライニング角度を変えるように構成されている。駆動モータ（図示省略）は、制御部３００から出力される駆動信号Ｓ５により、出力軸が正逆回転するように構成されている。この出力軸は、リクライニング機構部５０に接続されている。
【００２９】
（第１のタッチセンサ１００の構成）
第１のタッチ検出部である第１のタッチセンサ１００は、図１（ｂ）に示すように、シートクッション１１の座面部１１ａのへり部１１ｂに設けられている。図１（ｂ）において、第１のタッチセンサ１００はシートクッション１１の表面に図示されているが、例えば、シートクッションのカバーの下側に配置されて、操作者等から直接見えない位置に設けられていてもよい。すなわち、操作者の手又は指等の接触又は近接を検出できる位置に設けられていればよい。
【００３０】
第１のタッチセンサ１００は、例えば、操作者の体の一部（例えば、指）などがタッチ（接触及び近接）した操作面１００ａ上の位置を検出する静電容量式のタッチセンサである。第１のタッチセンサ１００は、操作面１００ａへのタッチ、連続するタッチであるなぞり操作等の操作を検出することができる。操作者は、例えば、操作面１００ａにタッチ操作を行うことにより、接続された車載機器の操作を行うことが可能となる。操作入力部１１０は、図２に示すように、左上部を原点Ｏとして、右方向にｘ軸、下方向にｙ軸とされた操作入力基準座標（ｘ、ｙ）が設定されている。この第１のタッチセンサ１００は、なぞり操作により、シートバック１２のリクライニング調整に使用される。
【００３１】
操作入力部１１０は、図２に示すように、複数の駆動電極１０１と、複数の検出電極１０２と、駆動部１１２と、読出部１１４と、を備えて概略構成されている。操作面１００ａには、図２の紙面左上を原点として、左から右方向にｘ軸、上から下方向にｙ軸が設定されている。このｘ軸、ｙ軸は、操作入力座標（ｘ、ｙ）として、タッチ操作の入力の基準となる。
【００３２】
駆動電極１０１及び検出電極１０２は、例えば、ＩＴＯ（tin-doped indium oxide）、銅などを用いた電極として構成されている。この駆動電極１０１と検出電極１０２は、互いに絶縁されながら交差するように操作面１００ａの下方に配置されている。
【００３３】
駆動電極１０１は、例えば、図２の紙面において、ｘ軸と平行に等間隔で配置されると共に駆動部１１２と電気的に接続されている。制御部３００は、周期的に駆動電極１０１との接続を切り替えて駆動信号Ｓ１を供給する。
【００３４】
検出電極１０２は、例えば、図２の紙面において、ｙ軸と平行に等間隔で配置されると共に読出部１１４と電気的に接続されている。読出部１１４は、１つの駆動電極１０１に駆動信号Ｓ１が供給されている間に検出電極１０２の接続を周期的に切り替え、駆動電極１０１と検出電極１０２の組み合わせで生成される静電容量を読み出す。そして読出部１１４は、一例として、読み出した静電容量に対してアナログ・デジタル変換処理などを行った静電容量カウント値としての検出情報Ｓ２を生成して制御部３００に出力する。
【００３５】
この検出情報Ｓ２は、設定された解像度に応じて生成される。具体的には、読出部１１４は、図５（ａ）等に示すように、座標ｘ１〜座標ｘ１５、座標ｙ１〜座標ｙ４、静電容量カウント値の組み合わせで検出情報Ｓ２が得られるように処理を行う。
【００３６】
第１のタッチセンサ１００の検出情報Ｓ２は、座標ｘ、ｙにおける静電容量カウント値の検出値分布情報１２０である。すなわち、この検出値分布情報１２０は、例えば、図５（ｂ）に示すように、座標ｘ１〜座標ｘ１５、座標ｙ１〜座標ｙ４の組み合わせに対応する静電容量カウント値を割り当てて生成された分布の情報である。なお検出情報Ｓ２を読み出す周期は、一例として、２０ｍｓである。この検出値分布情報１２０により、タッチ位置、タッチの範囲（面積）等のタッチ状態を検出できる。
【００３７】
（第２のタッチセンサ２００の構成）
第２のタッチ検出部である第２のタッチセンサ２００は、図２に示すように、シートクッション１１の座面部１１ａの側面部１１ｃに設けられている。図２において、第２のタッチセンサ２００はシートクッション１１の表面に図示されているが、例えば、シートクッションのカバーの下側に配置されて、操作者等から直接見えない位置に設けられていてもよい。すなわち、操作者の手又は指等の接触又は近接を検出できる位置に設けられていればよい。
【００３８】
第２のタッチセンサ２００は、例えば、操作者の体の一部（例えば、指）などがタッチ（接触及び近接）した操作面２００ａ上の位置を検出する静電容量式のタッチセンサである。第２のタッチセンサ２００は、操作面２００ａへのタッチ、連続するタッチであるなぞり操作等の操作を検出することができる。操作者は、例えば、操作面２００ａにタッチ操作を行うことにより、接続された車載機器の操作を行うことが可能となる。操作入力部２１０は、図２に示すように、左上部を原点Ｏとして、右方向にＸ軸、下方向にＹ軸とされた操作入力基準座標（Ｘ、Ｙ）が設定されている。
【００３９】
操作入力部２１０は、図２に示すように、複数の駆動電極２０１と、複数の検出電極２０２と、駆動部２１２と、読出部２１４と、を備えて概略構成されている。操作面２００ａには、図２の紙面左上を原点として、左から右方向にＸ軸、上から下方向にＹ軸が設定されている。このＸ軸、Ｙ軸は、操作入力座標（Ｘ、Ｙ）として、タッチ操作の入力の基準となる。この第２のタッチセンサ２００は、なぞり操作により、シートクッション１１のスライド調整に使用される。
【００４０】
駆動電極２０１及び検出電極２０２は、例えば、ＩＴＯ（tin-doped indium oxide）、銅などを用いた電極として構成されている。この駆動電極２０１と検出電極２０２は、互いに絶縁されながら交差するように操作面２００ａの下方に配置されている。
【００４１】
駆動電極２０１は、例えば、図２の紙面において、Ｘ軸と平行に等間隔で配置されると共に駆動部２１２と電気的に接続されている。制御部３００は、周期的に駆動電極２０１との接続を切り替えて駆動信号Ｓ３を供給する。
【００４２】
検出電極２０２は、例えば、図２の紙面において、Ｙ軸と平行に等間隔で配置されると共に読出部２１４と電気的に接続されている。読出部２１４は、１つの駆動電極２０１に駆動信号Ｓ３が供給されている間に検出電極２０２の接続を周期的に切り替え、駆動電極２０１と検出電極２０２の組み合わせで生成される静電容量を読み出す。そして読出部２１４は、一例として、読み出した静電容量に対してアナログ・デジタル変換処理などを行った静電容量カウント値としての検出情報Ｓ４を生成して制御部３００に出力する。
【００４３】
この検出情報Ｓ４は、設定された解像度に応じて生成される。具体的には、読出部２１４は、図６（ａ）等に示すように、座標Ｘ１〜座標Ｘ１５、座標Ｙ１〜座標Ｙ４、静電容量カウント値の組み合わせで検出情報Ｓ４が得られるように処理を行う。
【００４４】
第２のタッチセンサ２００の検出情報Ｓ４は、座標Ｘ、Ｙにおける静電容量カウント値の検出値分布情報２２０である。すなわち、この検出値分布情報２２０は、例えば、図６（ｂ）に示すように、座標Ｘ１〜座標Ｘ１５、座標Ｙ１〜座標Ｙ４の組み合わせに対応する静電容量カウント値を割り当てて生成された分布の情報である。なお検出情報Ｓ４を読み出す周期は、一例として、２０ｍｓである。この検出値分布情報２２０により、タッチ位置、タッチの範囲（面積）等のタッチ状態を検出できる。
【００４５】
（制御部３００の構成）
制御部３００は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部３００が動作するためのプログラム等が格納されている。ＲＡＭは、例えば、一時的に演算結果などを格納する記憶領域として用いられ、検出値分布情報１２０、２２０が生成される。また制御部３００は、その内部にクロック信号を生成する手段を有し、このクロック信号に基づいて動作を行う。
【００４６】
図３は、パワーシート装置１の第１のタッチセンサ（へり部）と第２のタッチセンサ（側面部）をなぞり操作する場合の手の接触状態を示す斜視図である。また、図４（ａ）は、手（指）を伸ばした状態での第１のタッチセンサ（へり部）と第２のタッチセンサ（側面部）に接する手の領域を示す側面図であり、図４（ｂ）は、手（指）を略９０°曲げた状態での第１のタッチセンサ（へり部）と第２のタッチセンサ（側面部）に接する手の領域を示す断面図であり、図４（ｃ）は、側面部操作とへり部操作時におけるタッチセンサ容量カウント値、と比率αの関係を示す棒グラフである。
【００４７】
図３で示すように、パワーシート装置１の第１のタッチセンサ（へり部）１００と第２のタッチセンサ（側面部）２００をなぞり操作する場合、図１（ｂ）で示したように、車両５の前後方向（矢印Ａ方向）に手５００でタッチしながら操作面１００ａ、操作面２００ａをなぞる。
【００４８】
図４（ａ）に示すように、手のひらの第３関節５１０又はそれに近い位置であって手のひらを内側に曲げるときの屈曲線５２０を境にして、屈曲線５２０から手元側５４０までの領域５５０が第１のタッチセンサ（へり部）１００に接触し、屈曲線５２０よりも指先側の領域５３０が第２のタッチセンサ（側面部）２００に接触する。
【００４９】
図４（ｂ）に示すように、へり部１１ｂと側面部１１ｃの交差する角部１１ｄの付近に、手のひらの屈曲線５２０が位置することになる。このような手の構造を考慮すると、本実施の形態のように、第１のタッチセンサ（へり部）１００と第２のタッチセンサ（側面部）２００がシート１０の同じ側（シートの右側）に配置されている場合は、両センサへ同時にタッチ操作がされることが想定されるので、なぞり操作において、操作者の操作意図に基づく操作切り分けが必要になる。
【００５０】
図４（ｃ）は、側面部操作とへり部操作時におけるタッチセンサ容量カウント値、と比率αの関係を示す棒グラフである。横軸に、側面部操作かへり部操作をとり、縦軸にタッチセンサ容量のカウント値の総和をとる。後述するへり部検出量５５０ａと側面部検出量５３０ａの比率と予め設定した比αとの大小関係により、第１のタッチセンサ（へり部）１００又は第２のタッチセンサ（側面部）２００のいずれのタッチセンサが操作されたかの操作切り分けを行なう。この操作切り分けは、本実施の形態では、へり部検出量５５０ａと側面部検出量５３０ａの比率が予め設定した比αよりも大のときは、へり部１１ｂを操作していると判断する。一方、へり部検出量５５０ａと側面部検出量５３０ａの比率が予め設定した比αよりも小のときは、側面部１１ｃを操作していると判断する。
【００５１】
本実施の形態では、へり部１１ｂの第１のタッチセンサ１００を操作している（タッチしている）と判断する場合において、制御部３００がなぞり操作と判断する場合は、図２で示すそのなぞり方向のＢ方向にシートバック１２をリクライニング調整する。また、側面部１１ｃの第２のタッチセンサ２００を操作している（タッチしている）と判断する場合において、制御部３００がなぞり操作と判断する場合は、図２で示すそのなぞり方向のＡ方向にシートクッション１１をスライド調整する。
【００５２】
（第１のタッチセンサ１００による手の接触状態の検出）
図５（ａ）は、図３で示した操作時の、第１のタッチセンサ（へり部）における手の接触状態を上から見た上平面図であり、図５（ｂ）は、図５（ａ）における接触状態での静電容量カウント値の分布を示す検出値分布情報である。
【００５３】
制御部３００は、第１のタッチセンサ１００の検出情報Ｓ２により作成された、座標ｘ、ｙにおける静電容量カウント値の検出値分布情報１２０に基づいて、タッチ状態を検出する。
【００５４】
操作者の手５００が、図５（ａ）のように第１のタッチセンサ１００の操作面１００ａに接触又は近接すると、図５（ｂ）に示すように、各座標（ｘ、ｙ）における静電容量値のカウント値が検出される。このカウント値は、接触面積と接近距離により決まり、大きな値ほどタッチされた状態である。制御部３００は、例えば、このカウント値の最大値が、所定の値（閾値）以上である場合には、操作者の手５００が第１のタッチセンサ１００にタッチしたと判断できる。
【００５５】
制御部３００は、検出値分布情報１２０に基づいて、カウント値の総和を計算し、この値をセンサ検出量とすることができる。また、検出値分布情報１２０に基づいて、カウント値が所定の値（閾値）以上の領域の面積を算出してこれをセンサ検出量としてもよい。制御部３００は、後述するフローチャートに従って、上記のセンサ検出量に基づいてタッチ状態を判断し、シートバック１２のリクライニング調整をすることができる。
【００５６】
（第２のタッチセンサ２００による手の接触状態の検出）
図６（ａ）は、図３で示した操作時の、第２のタッチセンサ（側面部）における手の接触状態を側面から見た側面図であり、図６（ｂ）は、図６（ａ）における接触状態での静電容量カウント値の分布を示す検出値分布情報である。
【００５７】
制御部３００は、第２のタッチセンサ２００の検出情報Ｓ４により作成された、座標Ｘ、Ｙにおける静電容量カウント値の検出値分布情報２２０に基づいて、タッチ状態を検出する。
【００５８】
操作者の手５００が、図６（ａ）のように第２のタッチセンサ２００の操作面２００ａに接触又は近接すると、図６（ｂ）に示すように、各座標（Ｘ、Ｙ）における静電容量値のカウント値が検出される。このカウント値は、接触面積と接近距離により決まり、大きな値ほどタッチされた状態である。制御部３００は、例えば、このカウント値の最大値が、所定の値（閾値）以上である場合には、操作者の手５００が第２のタッチセンサ２００にタッチしたと判断できる。
【００５９】
制御部３００は、検出値分布情報２２０に基づいて、カウント値の総和を計算し、この値をセンサ検出量とすることができる。また、検出値分布情報２２０に基づいて、カウント値が所定の値（閾値）以上の領域の面積を算出してこれをセンサ検出量としてもよい。制御部３００は、後述するフローチャートに従って、上記のセンサ検出量に基づいてタッチ状態を判断し、シートクッション１１のスライド調整をすることができる。
【００６０】
（第１の実施の形態に係るパワーシート装置の動作）
図７は、第１の実施の形態に係るパワーシート装置の動作を示すフローチャートである。
【００６１】
制御部３００は、指が第１のタッチセンサ１００、第２のタッチセンサ２００へタッチされたかどうかを判断する。操作面１００ａ、２００ａ上のタッチ点の静電容量値が所定の静電容量値を超えたかどうかで判断することができる（Ｓｔｅｐ１−１）。タッチされたと判断された場合は、Ｓｔｅｐ１−２へ進み、タッチされたと判断されない場合は、Ｓｔｅｐ１−１を繰り返して実行する。
【００６２】
次に、制御部３００は、検出値分布情報１２０に基づいて、へり部検出量を算出する（Ｓｔｅｐ１−２）。
【００６３】
次に、制御部３００は、検出値分布情報２２０に基づいて、側面部検出量を算出する（Ｓｔｅｐ１−３）。
【００６４】
制御部３００は、へり部検出量と側面部検出量の比率（へり部検出量／側面部検出量）が、予め設定した比αよりも大きいかどうかを判断する（Ｓｔｅｐ１−４）。αよりも大の場合は、Ｓｔｅｐ１−５へ進み、αよりも大でない場合は、Ｓｔｅｐ１−８へ進む。
【００６５】
制御部３００は、タッチセンサへの操作切り分けを行なう。すなわち、第２のタッチセンサ２００を無効化して、第１のタッチセンサ１００への操作であるとする（Ｓｔｅｐ１−５）。
【００６６】
制御部３００は、第１のタッチセンサ１００への操作がなぞり操作かどうかを判断する（Ｓｔｅｐ１−６）。なぞり操作は、例えば、一定間隔でのタッチ検出を行ない、へり部検出量が連続して検出されるかどうかにより判断することができる。なぞり操作であると判断された場合は、Ｓｔｅｐ１−７へ進み、なぞり操作であると判断されない場合は、Ｓｔｅｐ１−１に戻る。
【００６７】
制御部３００は、なぞり操作において、へり部検出量のｘ座標の変化から、なぞりの方向を検知することができる。これにより、制御部３００は、リクライニング機構部５０に駆動信号Ｓ５を出力することにより、シートバック１２のリクライニング調整をすることができる。
【００６８】
一方、制御部３００は、タッチセンサへの操作切り分けを行なう。すなわち、第１のタッチセンサ１００を無効化して、第２のタッチセンサ２００への操作であるとする（Ｓｔｅｐ１−８）。
【００６９】
制御部３００は、第２のタッチセンサ２００への操作がなぞり操作かどうかを判断する（Ｓｔｅｐ１−９）。なぞり操作は、例えば、一定間隔でのタッチ検出を行ない、側面部検出量が連続して検出されるかどうかにより判断することができる。なぞり操作であると判断された場合は、Ｓｔｅｐ１−９へ進み、なぞり操作であると判断されない場合は、Ｓｔｅｐ１−１に戻る。
【００７０】
制御部３００は、なぞり操作において、側面部検出量のＸ座標の変化から、なぞりの方向を検知することができる。これにより、制御部３００は、スライド機構部５２に駆動信号Ｓ６を出力することにより、シート１０（シートクッション１１）のスライド調整をすることができる。
【００７１】
以上のフローにより、タッチ判断、操作切り分け、リクライニング調整又はスライド調整の一連の動作が終了する。
【００７２】
（第２の実施の形態に係るパワーシート装置の動作）
図８は、第２の実施の形態に係るパワーシート装置の動作を示すフローチャートである。
【００７３】
制御部３００は、指が第１のタッチセンサ１００、第２のタッチセンサ２００へタッチされたかどうかを判断する。操作面１００ａ、２００ａ上のタッチ点の静電容量値が所定の静電容量値を超えたかどうかで判断することができる（Ｓｔｅｐ２−１）。タッチされたと判断された場合は、Ｓｔｅｐ２−２へ進み、タッチされたと判断されない場合は、Ｓｔｅｐ２−１を繰り返して実行する。
【００７４】
次に、制御部３００は、検出値分布情報１２０に基づいて、第１のタッチセンサ１００に親指がタッチしたかどうかを判断する（Ｓｔｅｐ２−２）。検出値分布情報１２０に基づいて、静電容量値が存在する領域のパターンと、予め複数用意された親指の形状を表すテンプテートとを比較するパターンマッチングにより、第１のタッチセンサ１００へのタッチが親指であるかどうかを判断することができる。第１のタッチセンサ１００へのタッチが親指であると判断された場合は、Ｓｔｅｐ２−３へ進み、親指であると判断されない場合は、Ｓｔｅｐ２−６へ進む。
【００７５】
制御部３００は、タッチセンサへの操作切り分けを行なう。すなわち、第２のタッチセンサ２００を無効化して、第１のタッチセンサ１００への操作であるとする（Ｓｔｅｐ２−３）。
【００７６】
制御部３００は、第１のタッチセンサ１００への操作がなぞり操作かどうかを判断する（Ｓｔｅｐ２−４）。なぞり操作は、例えば、一定間隔でのタッチ検出を行ない、へり部検出量が連続して検出されるかどうかにより判断することができる。なぞり操作であると判断された場合は、Ｓｔｅｐ２−５へ進み、なぞり操作であると判断されない場合は、Ｓｔｅｐ２−１に戻る。
【００７７】
制御部３００は、なぞり操作において、へり部検出量のｘ座標の変化から、なぞりの方向を検知することができる。これにより、制御部３００は、リクライニング機構部５０に駆動信号Ｓ５を出力することにより、シートバック１２のリクライニング調整をすることができる。
【００７８】
一方、制御部３００は、タッチセンサへの操作切り分けを行なう。すなわち、第１のタッチセンサ１００を無効化して、第２のタッチセンサ２００への操作であるとする（Ｓｔｅｐ２−６）。
【００７９】
制御部３００は、第２のタッチセンサ２００への操作がなぞり操作かどうかを判断する（Ｓｔｅｐ２−７）。なぞり操作は、例えば、一定間隔でのタッチ検出を行ない、側面部検出量が連続して検出されるかどうかにより判断することができる。なぞり操作であると判断された場合は、Ｓｔｅｐ２−８へ進み、なぞり操作であると判断されない場合は、Ｓｔｅｐ２−１に戻る。
【００８０】
制御部３００は、なぞり操作において、側面部検出量のＸ座標の変化から、なぞりの方向を検知することができる。これにより、制御部３００は、スライド機構部５２に駆動信号Ｓ６を出力することにより、シート１０（シートクッション１１）のスライド調整をすることができる。
【００８１】
以上のフローにより、タッチ判断、操作切り分け、リクライニング調整又はスライド調整の一連の動作が終了する。
【００８２】
（本発明の実施の形態の効果）
本実施の形態においては、以下のような効果を有する。
（１）本実施の形態に係るパワーシート装置は、シートクッション１１の座面部１１ａに第１のタッチセンサ１００を備え、シートクッション１１の側面部１１ｃに第２のタッチセンサ２００を備えている。これにより、操作者が座りながらタッチセンサを操作し、リクライニング調整又はスライド調整を容易に行なうことができる。
（２）第１の実施の形態によれば、第１のタッチセンサ１００によるへり部検出量と第２のタッチセンサ２００による側面部検出量の比率（へり部検出量／側面部検出量）が、予め設定した比αよりも大きいかどうかで操作切り分けを行なう。これにより、操作者の意図を考慮したパワーシート調整機能を実現することができる。特に、予め設定する比αを調整することが可能であるので、最適な操作切り分けを行なうが可能である。
（３）第２の実施の形態によれば、第１のタッチセンサ１００による検出値分布情報１２０に基づいて、第１のタッチセンサ１００に親指がタッチしたかどうかを判断し、これに基づいて操作切り分けを行なう。これにより、操作者の意図を考慮したパワーシート調整機能を実現することができる。特に、第１のタッチセンサ１００のｘ、ｙの分解能を上げ、また、パターンマッチングのテンプテートを増やす等により、高精度な親指検出が可能となり、より高精度な操作切り分けを行なうことが可能になる。
【００８３】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００８４】
１…パワーシート装置
５…車両
１０…シート
１１…シートクッション
１１ａ…座面部
１１ｂ部
１１ｃ…側面部
１１ｄ…角部
１２…シートバック
１３…ヘッドレスト
１４…台座部
１６…シートレール
１７…背面部
１８…サイドサポート部
５０…リクライニング機構部
５２…スライド機構部
１００…第１のタッチセンサ
１００ａ…操作面
１０１…駆動電極
１０２…検出電極
１１０…操作入力部
１１２…駆動部
１１４…読出部
１２０…検出値分布情報
２００…第２のタッチセンサ
２００ａ…操作面
２０１…駆動電極
２０２…検出電極
２１０…操作入力部
２１２…駆動部
２１４…読出部
２２０…検出値分布情報
３００…制御部
５００…手
５１０…第３関節関節
５２０…屈曲線
５３０…指先側の領域
５３０ａ…側面部検出量
５４０…手元側
５５０…領域
５５０ａ…へり部検出量
【図１】
2017094916.tif 000003
【図２】
2017094916.tif 000004
【図３】
2017094916.tif 000005
【図４】
2017094916.tif 000006
【図５】
2017094916.tif 000007
【図６】
2017094916.tif 000008
【図７】
2017094916.tif 000009
【図８】
2017094916.tif 000010